【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
遠隔注文装置であって、
データ入力部、電源、第１のメモリ、第１のプロセッサ、送信機を有するワイヤレス電気通信装置と、及び
ワイヤレス電気通信装置からデータを受信するデータ受信局、データ受信局で受信したデータを処理するように適合した第２のプロセッサ、データを記憶するように適合した第２のメモリ、商品またはサービスの配達を命令するためのデータ出力装置と、
を含む前記遠隔注文装置。
【請求項２】
請求項１に記載の遠隔注文装置であって、
ワイヤレス電気通信装置がセルラー電話及びセルラー電話網を含んでいる前記遠隔注文装置。
【請求項３】
請求項１に記載の遠隔注文装置であって、
ワイヤレス電気通信装置がＰＤＡ及び送信機を含んでいる前記遠隔注文装置。
【請求項４】
請求項１に記載の遠隔注文装置であって、
ワイヤレス電気通信装置がＰＤＡ、セルラー電話及びセルラー電話網を含んでいる前記遠隔注文装置。
【請求項５】
請求項１に記載の遠隔注文装置であって、
ワイヤレス電気通信装置がパーソナル・コンピュータ及び送信機を含んでいる前記遠隔注文装置。
【請求項６】
請求項１に記載の遠隔注文装置であって、
ワイヤレス電気通信装置がパーソナル・コンピュータ、セルラー電話及びセルラー電話網を含んでいる前記遠隔注文装置。
【請求項７】
請求項１に記載の遠隔注文装置であって、
データ受信局が第１のサイトにある中央コンピュータであり、
データ出力装置が第１のサイトにある前記遠隔注文装置。
【請求項８】
請求項１に記載の遠隔注文装置であって、
データ受信局が第１のサイトにある中央コンピュータであり、
データ出力装置が第２のサイトにある前記遠隔注文装置。
【請求項９】
請求項１に記載の遠隔注文装置であって、
データ受信局が第１のサイトにある中央コンピュータであり、
第２のデータ受信局が第２のサイトにある第２のコンピュータであり、それによって第１のデータ受信局及び第２のデータ受信局が取引に関するデータを少なくとも一方向に転送する前記遠隔注文装置。
【請求項１０】
請求項９に記載の遠隔注文装置であって、
データ出力装置が第２のサイトにある前記遠隔注文装置。
【請求項１１】
請求項１に記載の遠隔注文装置であって、
データ出力装置が、処理すべき注文に関する情報などの注文データを表示するための電子式表示スクリーンである前記遠隔注文装置。
【請求項１２】
請求項１に記載の遠隔注文装置であって、
データ出力装置が、処理すべき注文に関する注文情報及びラベル、領収書、クレジット・カード伝票、及び口座情報などのその他のデータ及び情報を印刷するためのプリンタである前記遠隔注文装置。
【請求項１３】
請求項１に記載の遠隔注文装置であって、
データ受信局が個人識別部を含んでいる前記遠隔注文装置。
【請求項１４】
請求項１３に記載の遠隔注文装置であって、
個人識別部が、商品またはサービスを注文した人物の口座を自動的に識別するためのワイヤレス電気通信装置を自動的に識別するための呼び出し人識別装置を含んでいる前記遠隔注文装置。
【請求項１５】
請求項１３に記載の遠隔注文装置であって、
個人識別部が、音声識別、指紋識別、網膜識別、顔識別あるいはその他の購買者を識別する手段のような生体電子式識別装置を含んでいる前記遠隔注文装置。
【請求項１６】
請求項１３に記載の遠隔注文装置であって、
個人識別部が、商品またはサービスを注文した人物に埋め込まれるかあるいは所有するチップの存在を検出するためのチップ・センサーを含んでいる前記遠隔注文装置。
【請求項１７】
請求項１に記載の遠隔注文装置であって、
ワイヤレス電気通信装置が個人識別装置を含んでいる前記遠隔注文装置。
【請求項１８】
請求項１７に記載の遠隔注文装置であって、
ワイヤレス電気通信装置が、音声識別、指紋識別、網膜識別、顔識別あるいはその他の購買者を識別する手段のような生体電子式識別装置を含んでいる前記遠隔注文装置。
【請求項１９】
請求項１に記載の遠隔注文装置であって、
ワイヤレス電気通信装置がクレジット・カード・データ入力装置を含んでいる前記遠隔注文装置。
【請求項２０】
請求項１に記載の遠隔注文装置であって、
データ受信局がクレジット・カード・データ入力装置を含んでいる前記遠隔注文装置。
【請求項２１】
請求項１に記載の遠隔注文装置であって、
位置決め装置がワイヤレス電気通信装置の場所を同定する前記遠隔注文装置。
【請求項２２】
請求項２１に記載の遠隔注文装置であって、
位置決め装置が衛星測位装置を含んでいる前記遠隔注文装置。
【請求項２３】
請求項２１に記載の遠隔注文装置であって、
位置決め装置がワイヤレス・アプリケーション・プロトコルを含んでいる前記遠隔注文装置。
【請求項２４】
請求項１に記載の遠隔注文装置であって、
データ受信局が現金自動預け払いマシンを含んでいる前記遠隔注文装置。
【請求項２５】
遠隔地から商品を注文する方法であって、
（ａ）ワイヤレス電気通信装置とデータ受信局との間でワイヤレス電気通信リンクを確立する工程と、
（ｂ）注文コードを参照する工程と、
（ｃ）所望する購入のための注文コードを入力する工程と、
（ｄ）ワイヤレス電気通信リンクを介してデータ受信局に対して注文コードを送信する工程と、
（ｅ）データ受信局で注文コードを復号する工程と、
（ｆ）行われた購入を記録する工程と、
（ｆ）すべての購入について工程（ｂ）から（ｆ）までを繰り返すオプションと、及び
（ｇ）データ受信局からデータ出力装置へ、復号されたデータを送信する工程と、
を含む遠隔地から商品を注文する前記方法。
【請求項２６】
請求項２５に記載の遠隔地から商品を注文する方法であって、更に、
ワイヤレス電気通信装置からデータ受信局へ、クレジット・カード情報を送信する工程、
を含む遠隔地から商品を注文する前記方法。
【請求項２７】
請求項２５に記載の遠隔地から商品を注文する方法であって、更に、
データ受信局から受信したクレジット・カード情報を、ワイヤレス電気通信リンクを介してクレジット・カード認証センターへ認定のために送信する工程、
を含む遠隔地から商品を注文する前記方法。
【請求項２８】
請求項２７に記載の遠隔地から商品を注文する方法であって、更に、
ワイヤレス電気通信装置から顧客を識別する情報データを受信する工程、
を含む遠隔地から商品を注文する前記方法。
【請求項２９】
請求項２５に記載の遠隔地から商品を注文する方法であって、更に、
ワイヤレス電気通信装置から、ワイヤレス電気通信装置に接続された衛星測位装置を介して顧客の位置情報を受信する工程、
を含む遠隔地から商品を注文する前記方法。
【請求項３０】
請求項２５に記載の遠隔地から商品を注文する方法であって、更に、
ワイヤレス電気通信装置から、ワイヤレス電気通信装置に接続されたワイヤレス・アプリケーション・プロトコル装置を介して顧客の位置情報を受信する工程、
を含む遠隔地から商品を注文する前記方法。
【請求項３１】
請求項２５に記載の遠隔地から商品を注文する方法であって、更に、
ワイヤレス電気通信装置に注文データを入力するためにバー・コードを読み取る工程、
を含む遠隔地から商品を注文する前記方法。
【請求項３２】
請求項２５に記載の遠隔地から商品を注文する方法であって、更に、
注文品が受け取れる準備ができた時にワイヤレス電気通信装置に通知する工程、
を含む遠隔地から商品を注文する前記方法。
【請求項３３】
請求項２５に記載の遠隔地から商品を注文する方法であって、更に、
データ受信局からのデータを第２のデータ受信局に転送する工程、
を含む遠隔地から商品を注文する前記方法。
【請求項３４】
請求項２５に記載の遠隔地から商品を注文する方法であって、更に、
望みの場所で受け取るように商品またはサービスを提供する工程、
を含む遠隔地から商品を注文する前記方法。
【請求項３５】
請求項２５に記載の遠隔地から商品を注文する方法であって、更に、
望みの場所に配達するように商品またはサービスを提供する工程、
を含む遠隔地から商品を注文する前記方法。
【請求項３６】
請求項２５に記載の遠隔地から商品を注文する方法であって、更に、
取引に関して顧客の口座から引き落としを行う工程、
を含む遠隔地から商品を注文する前記方法。
【請求項３７】
請求項２５に記載の遠隔地から商品を注文する方法であって、更に、
取引に関して顧客のクレジット・カードから引き落としを行う工程、
を含む遠隔地から商品を注文する前記方法。
【請求項３８】
請求項２５に記載の遠隔地から商品を注文する方法であって、更に、
行われた販売に基づいて、在庫を更新する工程、
を含む遠隔地から商品を注文する前記方法。
【請求項３９】
請求項２５に記載の遠隔地から商品を注文する方法であって、更に、
配達場所において、顧客のために領収書を印刷する工程、
を含む遠隔地から商品を注文する前記方法。
【請求項４０】
請求項２５に記載の遠隔地から商品を注文する方法であって、更に、
顧客が署名するように、クレジット・カード伝票を印刷する工程、
を含む遠隔地から商品を注文する前記方法。
【請求項４１】
請求項２５に記載の遠隔地から商品を注文する方法であって、更に、
電気通信リンクを介して遠隔地から顧客を識別する工程、
を含む遠隔地から商品を注文する前記方法。
【請求項４２】
請求項２５に記載の遠隔地から商品を注文する方法であって、更に、
商品またはサービスを転送する場所で顧客を識別する工程、
を含む遠隔地から商品を注文する前記方法。
【請求項４３】
請求項２５に記載の遠隔地から商品を注文する方法であって、更に、
現金自動預け払いマシンのカードを持つ代わりに、ワイヤレス電気通信装置を使用することによって現金自動預け払いマシンを起動する工程、
を含む遠隔地から商品を注文する前記方法。
【請求項４４】
請求項４３に記載の遠隔地から商品を注文する方法であって、更に、
ワイヤレス電気通信装置を使用することによって、所望する取引に関するデータを現金自動預け払いマシンに入力する工程、
を含む遠隔地から商品を注文する前記方法。
【請求項４５】
請求項２５に記載の遠隔地から商品を注文する方法であって、更に、
ワイヤレス電気通信装置を使用することによって、家電品のような装置を制御する工程、
を含む遠隔地から商品を注文する前記方法。